(57)【要約】      （修正有）【課題】絵付け作業時におけるローラとワークとの当接圧の急激な変化を是正し得る新規なロール転写装置を提供する。【解決手段】昇降装置２の駆動によってワークホルダ３に保持させたワークＷをローラ４の側面に接近させ、ローラ４と共にワークＷを回転させることによって、ワークＷとローラ４の側面との間に介在させた絵付け用フィルムＦの絵柄層、又は、ローラ４の側面に担持させた塗料をワークＷの周縁に転写するロール転写装置１において、ワークホルダ３にカウンターウェイト５を備える。【選択図】図４
0003204692.tif 000002
【実用新案登録請求の範囲】
【請求項１】
昇降装置と、
回転軸を水平方向に向けた状態で前記昇降装置によって上下動可能に支持された回転式のワークホルダと、
ローラと、
を具備してなり、
前記昇降装置の駆動によって前記ワークホルダに保持させたワークを前記ローラの側面に接近させ、前記ローラと共に前記ワークを回転させることによって、前記ワークと前記ローラの側面との間に介在させた絵付け用フィルムの絵柄層、又は、前記ローラの側面に担持させた塗料を前記ワークの周縁に転写するロール転写装置であって、
前記ワークホルダにカウンターウェイトが備えられてなることを特徴とするロール転写装置。
【請求項２】
請求項１に記載のロール転写装置において、
前記カウンターウェイトの重量が、前記ワークホルダの重量に対し、１００±５０％となされたロール転写装置。
【請求項３】
請求項１又は２に記載のロール転写装置において、
前記昇降装置が、定圧制御方式によって制御されてなるロール転写装置。
【考案の詳細な説明】
【技術分野】
【０００１】
本考案は、ワークに絵付けを施すロール転写装置に関する。
【背景技術】
【０００２】
従来、ワークに絵柄や文字などの絵付けを施すにあたり、ロール転写装置が利用されている（例えば、下記特許文献１参照）。
【０００３】
この特許文献１に開示されたロール転写装置（転写化粧装置）は、板状のワークの表面に絵付けを施すものであるが、最近では、ワークの周縁に絵付けを施し得るロール転写装置も開発されている（図７参照）。
【先行技術文献】
【特許文献】
【０００４】
【特許文献１】特開平８‐３３６９４８号公報
【考案の概要】
【考案が解決しようとする課題】
【０００５】
図７（ａ）に示すロール転写装置１００は、昇降装置２と、前記昇降装置２によって上下動可能に支持された回転式のワークホルダ３と、ローラ４と、を具備する。図７（ｂ）に示すように、このロール転写装置１００は、前記昇降装置２の駆動によって前記ワークホルダ３に保持させたワークＷを前記ローラ４の側面に接近させ、前記ローラ４と共に前記ワークＷを回転させることによって、前記ワークＷと前記ローラ４の側面との間に介在させた絵付け用フィルムＦの絵柄層を前記ワークの周縁に転写するものである。
【０００６】
なお、この種のロール転写装置１００では、通常、前記昇降装置２が定圧制御方式によって制御されており、絵付け作業中に前記ローラ４と前記ワークＷとの当接圧に変化が生じた場合には、前記昇降装置２のロッドを上下動させることによって、前記ワークＷと前記ローラ４との当接圧が一定となるように制御されている。
【０００７】
しかしながら、前記ローラ４と前記ワークＷとの当接圧の変化を感知して、前記昇降装置２を上下動させる仕組みでは、当接圧の急激な変化に対応することが困難となる場合があった。例えば、図７（ｃ）に示す前記ワークＷの角部分（図中Ａで示す部分）に対する絵付け作業時においては、前記ローラ４と前記ワークＷとの当接圧が急激に変化するため、当該部分に対する所望の絵付けがを行うことが困難であった。
【０００８】
本考案は、前記技術的課題に鑑みて完成されたものであり、絵付け作業時におけるローラとワークとの当接圧の急激な変化を是正し得る新規なロール転写装置を提供することを目的とする。
【課題を解決するための手段】
【０００９】
前記技術的課題を解決する本考案のロール転写装置は、昇降装置と、回転軸を水平方向に向けた状態で前記昇降装置によって上下動可能に支持された回転式のワークホルダと、ローラと、を具備してなり、前記昇降装置の駆動によって前記ワークホルダに保持させたワークを前記ローラの側面に接近させ、前記ローラと共に前記ワークを回転させることによって、前記ワークと前記ローラの側面との間に介在させた絵付け用フィルムの絵柄層、又は、前記ローラの側面に担持させた塗料を前記ワークの周縁に転写するロール転写装置であって、前記ワークホルダにカウンターウェイトが備えられてなることを特徴とする（以下、「本考案装置」と称する。）。
【００１０】
本考案装置においては、前記カウンターウェイトの重量が、前記ワークホルダの重量に対し、１００±５０％となされたものが好ましい態様となる。
【００１１】
本考案装置においては、前記昇降装置が、定圧制御方式によって制御されてなるものが好ましい態様となる。
【考案の効果】
【００１２】
本考案によれば、絵付け作業時におけるローラとワークとの当接圧の急激な変化を是正することができる。
【図面の簡単な説明】
【００１３】
【図１】図１は、本考案装置を示す側面図（ａ）と、正面図（ｂ）である。
【図２】図２は、絵付け用フィルムを示す断面図である。
【図３】図３は、ワークを示す斜視図である。
【図４】図４は、前記本考案装置を用いた絵付け作業の第一工程を示す側面図（ａ）と、正面図（ｂ）である。
【図５】図５は、前記本考案装置を用いた絵付け作業の第二工程を示す側面図（ａ）と、正面図（ｂ）である。
【図６】図６は、前記本考案装置を用いた絵付け作業の第三工程を示す側面図（ａ）と、正面図（ｂ）である。
【図７】図７（ａ）は、従来のロール転写装置を示す正面図であり、図７（ｂ）は、従来のロール転写装置を用いた絵付け作業を示す正面図であり、図７（ｃ）は、ワークを示す斜視図である。
【考案を実施するための形態】
【００１４】
以下、本考案を実施するための形態を図面に基づいて説明するが、本考案はこの実施形態に限定されるものではない。
【００１５】
＜本考案装置１＞
図１に、本考案装置１の一態様を示す。この本考案装置１は、昇降装置２と、ワークホルダ３と、ローラ４と、カウンターウェイト５と、を具備する。
【００１６】
‐昇降装置２‐
本実施形態においては、前記昇降装置２として、出没可能なロッド２１を具備してなるシリンダ（エアーサーボ機構による定圧制御方式のメカシリンダ）が用いられている。又、前記ロッド２１の出没方向は、垂直方向となされている。
【００１７】
‐ワークホルダ３‐
前記ワークホルダ３は、回転軸３０の回転に応じて保持部３１が回転する仕組み（回転式）となされており、前記回転軸３０を水平方向に向けた状態で前記昇降装置２によって上下動可能に支持されている。又、前記保持部３１は、後述するワークＷを嵌合し得る形状となされている。
【００１８】
‐ローラ４‐
前記ローラ４は、円筒形状を有してなり、前記ワークホルダ３上の所定位置で、フレーム１０に対して回転可能に支持されている。又、前記ローラ４の回転軸４０は、水平方向に向けられており、モータＭの駆動によって回転する仕組みとなされている。
【００１９】
‐カウンターウェイト５‐
本実施形態において、前記カウンターウェイト５は、前記ワークホルダ３より上方の位置において前記フレーム１０に対して支持されている滑車５１、に掛けられたベルト５２の一端に連結されている。前記ベルト５２の他端は、前記ワークホルダ３に連結されているため、前記カウンターウェイト５の重量分前記ワークホルダ３の重量が相殺される。本実施形態においては、前記カウンターウェイト５の重量につき、前記ワークホルダ３と同じ重量としているため、前記ワークホルダ３の見かけ上の重量はゼロとなる。又、前記カウンターウェイト５は、一対の支持棒５３によって揺動が制限されている。
【００２０】
そして、本実施形態に係る本考案装置１は、図２に示す絵付け用フィルムＦを用いて、図３に示すワークＷの周縁に絵付けを施すために用いられる。
【００２１】
＜絵付け用フィルムＦ＞
本実施形態においては、前記絵付け用フィルムＦとして、ベースフィルムＦ１の片側面に、剥離層Ｆ２、絵柄層Ｆ３、及び接着層Ｆ４が順次積層された帯状の四層積層フィルム（転写フィルム）を用いた（図２参照）。
【００２２】
＜ワークＷ＞
前記ワークＷは、本考案装置１によって絵付けが施される対象物である。本実施形態においては、前記ワークＷとして有底中空状、且つ、外縁形状が略菱形のものを用いた（図３参照）。
【００２３】
＜絵付け作業＞
図４〜図６に、前記本考案装置１によって前記ワークＷに対して絵付けを施す工程を示す。
【００２４】
‐第一工程‐
前記本考案装置１による絵付けを実行するにあたっては、まず、前記ワークホルダ３の保持部３１に前記ワークＷを嵌合させ、前記ワークホルダ３と前記ローラ４との間に前記絵付け用フィルムＦを配置する（図４参照）。この際、前記絵付け用フィルムＦは、接着層Ｆ４側が前記ワークホルダ側となるようにして配置される。
【００２５】
‐第二工程‐
次いで、前記ローラ４を回転させながら、前記昇降装置２を駆動させ、前記ワークホルダ３を上昇させる（図５参照）。これにより、前記ワークホルダ３に保持させた前記ワークＷが前記ローラ４の側面に接近する。この接近の途中、前記ワークＷが、前記絵付け用フィルムＦに接触し、最終的に、前記絵付け用フィルムＦを介在させた状態で、前記ワークＷと前記ローラ４とが接触する。
【００２６】
‐第三工程‐
前記ワークＷと前記ローラ４とが接触すると、前記ローラ４の回転が前記ワークＷに伝達され、前記回転軸３０を中心にして前記ワークホルダ３（及び前記ワークＷ）が回転する（図６参照）。又、前記ローラ４と前記ワークホルダ３によって挟まれている前記絵付け用フィルムＦは、前記ローラ４と前記ワークホルダ３の回転によって図中右側に送り出される。この際、前記絵付け用フィルムＦは、前記ワークの周縁に順次押し付けられながら送り出されるため、前記絵付け用フィルムＦの接着層Ｆ４を介して絵柄層Ｆ３が前記ワークＷの周縁に転写される。
【００２７】
即ち、本考案装置１による絵付けは、前記ローラ４にて、前記絵付け用フィルムＦを前記ワークＷに押し付けると共に、前記ワークＷを回転させることによって行われる。前記絵付け用フィルムＦを前記ワークＷに押し付ける力は、前記ローラ４と前記ワークＷとの当接圧であり、絵付け作業中に、この当接圧に過度の変化が生じると所望の絵付けを行うことができない。そのため、前記昇降装置２は、絵付け作業中に、前記ローラ４と前記ワークＷとの当接圧に変化が生じた場合にロッド２１を上下動させて、当接圧が一定となるように制御されている。
【００２８】
そして、本考案装置１では、前記カウンターウェイト５によって、前記ワークホルダ３の重量が相殺されているため、前記昇降装置２のロッド２１の上下動が非常に円滑となる。これより、本考案装置１は、絵付け作業時における前記ローラ４と前記ワークＷとの当接圧の急激な変化を速やかに是正することができ、もって、所望の絵付けを行うことができる。
【００２９】
ところで、本実施形態においては、前記ワークＷに対する絵付けの実行にあたり、前記絵付け用フィルムＦを用いているが、前記ローラ４の側面に担持させた塗料を前記ワークＷの周縁に転写する形式としても良い。
【００３０】
又、本実施形態においては、前記ワークホルダ３の重量を相殺するために備えられている前記カウンターウェイト５につき、前記ワークホルダ３と同じ重量のものを用い、前記ワークホルダ３の実質的な重量がゼロとなるようにしているが、前記カウンターウェイト５の重量は、必ずしも前記ワークホルダ３と同じ重量としなくても良い。前記カウンターウェイト５の重量としては、前記ワークホルダの重量に対し１００±５０％の範囲内とすることが好ましく、この範囲内であれば、絵付け作業中の前記昇降装置２のロッド２１の上下動が円滑となることが確認されている。
【００３１】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００３２】
前記本考案装置は、ワークに絵付けを施すためのロール転写装置として好適に用いられる。
【符号の説明】
【００３３】
１  本考案装置（ロール転写装置）
２  昇降装置
３  ワークホルダ
３０  回転軸
４  ローラ
５  カウンターウェイト
Ｆ  絵付け用フィルム
Ｗ  ワーク
【図１】
0003204692.tif 000003
【図２】
0003204692.tif 000004
【図３】
0003204692.tif 000005
【図４】
0003204692.tif 000006
【図５】
0003204692.tif 000007
【図６】
0003204692.tif 000008
【図７】
0003204692.tif 000009